(57)【要約】【課題】固着層と止着層では粘着強度の異なる粘着剤を使用し、この粘着強度の異なる粘着剤を同時に塗工することにより、粘着剤の種類を選択するのが容易になり、それら粘着剤の塗布量の均等をとる必要がなくなると共に、塗工に手間がかからす生産コストを下げることができる廃棄用テープを提供する。【解決手段】固着テープ１と止着テープ２から構成され、固着テープ１を体液吸収物品Ｗの外側面に固着しておくための固着層３を形成し、止着テープ２を伸長するものとし、止着テープ２を固着テープ１に固着する固着層４を止着テープ２内面の一端寄りに、止着テープ２を固着テープ１に仮止めする止着層５を固着層４から止着テープ２内面の他端寄りにかけて、それぞれ粘着強度の異なる粘着剤を同時に塗工することにより形成したものとしている。【選択図】図２
2013244127.tif 000002
【特許請求の範囲】
【請求項１】
固着テープ（１）と止着テープ（２）から構成され、固着テープ（１）を体液吸収物品（Ｗ）の外側面に固着しておくための固着層（３）を形成し、止着テープ（２）を伸長するものとし、止着テープ（２）を固着テープ（１）に固着する固着層（４）を止着テープ（２）内面の一端寄りに、止着テープ（２）を固着テープ（１）に仮止めする止着層（５）を固着層（４）から止着テープ（２）内面の他端寄りにかけて、それぞれ粘着強度の異なる粘着剤を同時に塗工することにより形成したことを特徴とする廃棄用テープ。
【請求項２】
前記固着テープ（１）の止着層（５）との接触面（１ａ）に離型処理（６）を施したことを特徴とする請求項１記載の廃棄用テープ。
【請求項３】
前記固着層（４）を、固着テープ（１）に固着するのに十分な粘着力を有した粘着剤からなるものとし、前記止着層（５）を、固着テープ（１）に仮止めするのに適した粘着力を有した粘着剤からなるものとしたことを特徴とする請求項１又は２記載の廃棄用テープ。
【請求項４】
前記止着テープ（２）外面に離型処理（７）を施したことを特徴とする請求項１〜３の何れかに記載の廃棄用テープ。
【請求項５】
前記止着テープ（２）内面の他端寄りに、着色層（８）を形成したことを特徴とする請求項１〜４の何れかに記載の廃棄用テープ。
【請求項６】
前記止着テープ（２）内面の他端寄りに、微粘着性の着色層（９）を、前記固着層（４）及び止着層（５）と同時に塗工することにより形成したことを特徴とする請求項１〜４の何れかに記載の廃棄用テープ。
【請求項７】
前記止着テープ（２）内面の一端及び他端に、微粘着性の着色層（１０）を、前記固着層（４）及び止着層（５）と同時に塗工することにより形成したことを特徴とする請求項１〜４の何れかに記載の廃棄用テープ。
【請求項８】
前記固着層（３）の一端及び他端に、微粘着性の着色層（１１）を形成したことを特徴とする請求項１〜７の何れかに記載の廃棄用テープ。
【発明の詳細な説明】
【技術分野】
【０００１】
この発明は、使用済みの紙おむつや生理用ナプキン等の体液吸収物品を丸めて廃棄する場合に使用される廃棄用テープに関するものである。
【背景技術】
【０００２】
従来、この種の廃棄用テープとしては、例えば図１１、１２に示したように、一端側２１ａに固着層２２が設けられ、この固着層２２が紙おむつ等の体液吸収物品Ｗの一端側Ｄに固着され、所定値以上の荷重により弾性伸長する止着テープ２１と、この止着テープ２１の他端側２１ｂに設けられ、体液吸収物品Ｗの他端側Ｋに止着される止着層２３とを備えてなるものが存在する（特許文献１）。
【０００３】
このように構成した従来の廃棄用テープは、使用済みの体液吸収物品Ｗを丸めて、廃棄テープの他端側２１ｂの止着層２３を剥がし、他端側２１ｂを引っ張ると、止着テープ２１が弾性変形して伸長する。そこで、他端側２１ｂの止着層２３を体液吸収物品Ｗの他端側Ｋに止着させると、図１３に示したように、体液吸収物品Ｗが丸められた状態に保持されることとなり、その後の廃棄処理が簡単となるとしている。
【先行技術文献】
【特許文献】
【０００４】
【特許文献１】特開２００２−３２０６３７号公報
【発明の概要】
【発明が解決しようとする課題】
【０００５】
しかしながら、上記従来の廃棄用テープでは、一端側２１ａに設けられた固着層２２と他端側２１ｂに設けられた止着層２３とは、同じ粘着剤を使用し、その塗布量を変えて、固着層２２と止着層２３のそれぞれの粘着強度に適したものにしていたので、粘着剤の種類を選択するのが困難であったり、それら粘着剤の塗布量の均衡をとるのが困難であるという問題点を有していた。
【０００６】
また、上記従来の廃棄用テープでは、一端側２１ａに設けられた固着層２２と他端側２１ｂに設けられた止着層２３とは、粘着強度の異なる粘着剤を使用し、固着層２２に適した粘着強度を有する粘着剤を体液吸収物品Ｗに固着した固着テープ２４側に、止着層２３に適した粘着強度を有する粘着剤を止着テープ２１側に、それぞれ別々に塗工していたので、手間がかかり、製造コストが高くなるという問題点を有していた。
【０００７】
そこで、この発明は、上記従来の問題点を解決することをその課題としており、固着層と止着層では粘着強度の異なる粘着剤を使用し、この粘着強度の異なる粘着剤を同時に塗工することにより、粘着剤の種類を選択するのが容易になり、それら粘着剤の塗布量の均等をとる必要がなくなると共に、塗工に手間がかからす生産コストを下げることができる廃棄用テープを提供することを目的としてなされたものである。
【課題を解決するための手段】
【０００８】
この発明の廃棄テープは、固着テープ１と止着テープ２から構成され、固着テープ１を体液吸収物品Ｗの外側面に固着しておくための固着層３を形成し、止着テープ２を伸長するものとし、止着テープ２を固着テープ１に固着する固着層４を止着テープ２内面の一端寄りに、止着テープ２を固着テープ１に仮止めする止着層５を固着層４から止着テープ２内面の他端寄りにかけて、それぞれ粘着強度の異なる粘着剤を同時に塗工することにより形成したものとしている。
【０００９】
この発明の廃棄テープにおいて、前記固着テープ１の止着層５との接触面１ａに離型処理６を施したものとしている。
【００１０】
この発明の廃棄テープにおいて、前記固着層４を、固着テープ１に固着するのに十分な粘着力を有した粘着剤からなるものとし、前記止着層５を、固着テープ１に仮止めするのに適した粘着力を有した粘着剤からなるものとしている。
【００１１】
この発明の廃棄テープにおいて、前記止着テープ２外面に離型処理７を施したものとしている。
【００１２】
この発明の廃棄テープにおいて、前記止着テープ２内面の他端寄りに、着色層８を形成したものとしている。
【００１３】
この発明の廃棄テープにおいて、前記止着テープ２内面の他端寄りに、微粘着性の着色層９を、前記固着層４及び止着層５と同時に塗工することにより形成したものとしている。
【００１４】
この発明の廃棄テープにおいて、前記止着テープ２内面の一端及び他端に、微粘着性の着色層１０を、前記固着層４及び止着層５と同時に塗工することにより形成したものとしている。
【００１５】
この発明の廃棄テープにおいて、前記固着層３の一端及び他端に、微粘着性の着色層１１を形成したものとしている。
【発明の効果】
【００１６】
この発明の廃棄用テープは、以上に述べたように構成されており、固着層と止着層では粘着強度の異なる粘着剤を使用し、この粘着強度の異なる粘着剤を同時に塗工したものとしたので、粘着剤の種類を選択するのが容易になり、それら粘着剤の塗布量の均等をとる必要がなくなると共に、塗工に手間がかからす生産コストを下げることができた。
【図面の簡単な説明】
【００１７】
【図１】この発明の廃棄用テープを紙おむつに取り付けた状態を示す斜視図である。
【図２】この発明の廃棄用テープの第一実施形態を示す構造図である。
【図３】この発明の廃棄用テープの第二実施形態を示す構造図である。
【図４】この発明の廃棄用テープの第三実施形態を示す構造図である。
【図５】この発明の廃棄用テープの第四実施形態を示す構造図である。
【図６】この発明の廃棄用テープの第五実施形態を示す構造図である。
【図７】この発明の廃棄用テープをロール巻きにして製造した状態を示す斜視図である。
【図８】この発明の廃棄用テープを取り付けた紙おむつの丸めた状態を示す斜視図である。
【図９】図８において紙おむつに取り付けたこの発明の廃棄用テープの伸ばした状態を示す斜視図である。
【図１０】図９において伸ばした状態のこの発明の廃棄用テープを紙おむつに止着した状態を示す斜視図である。
【図１１】従来の廃棄用テープを紙おむつに取り付けた状態を示す正面図である。
【図１２】従来の廃棄用テープの構造図である。
【図１３】従来の廃棄用テープの使用状態を示す斜視図である。
【発明を実施するための形態】
【００１８】
以下、この発明の廃棄用テープを実施するための形態を、図面に基づいて詳細に説明する。
【００１９】
この発明の廃棄用テープＡは、図１に示したように、紙おむつ等の体液吸収物品Ｗの外側面の適宜位置の取り付けられるものとしており、この外側面に固着しておくための固着テープ１と、使用済み体液吸収物品Ｗを丸めて保持しておくための止着テープ２から構成されており、使用前の状態においては、固着テープ１に止着テープ２を仮止めしたものとしている。
【００２０】
前記固着テープ１は、伸長しないものとするのが好ましく、図２〜６に示したように、体液吸収物品Ｗの外側面に固着しておくための固着層３を形成している。
【００２１】
前記止着テープ２は、伸長するものとしており、高伸長性のものとするのが好ましいが、特に伸縮性は必要とせず伸びきってしまうものでもよく、図２〜６に示したように、この止着テープ２を固着テープ１に固着する固着層４を止着テープ２内面の一端寄りに、止着テープ２を固着テープ１に仮止めする止着層５を固着層４から止着テープ２内面の他端寄りにかけて、それぞれ粘着強度の異なる粘着剤を同時に塗工することにより形成している。
【００２２】
さらに、前記固着テープ１は、止着層５との接触面１ａに離型処理６を施したものとしている。
【００２３】
前記固着層４は、固着テープ１に固着するのに十分な粘着力を有した粘着剤からなるものとし、前記止着層５は、固着テープ１に仮止めするのに適した粘着力を有した粘着剤からなるものとしている。
【００２４】
また、前記止着テープ２は、外面に離型処理７を施したものとしている。この止着テープ２の外面に離型処理７を施したものとするのは、後に述べるように、廃棄用テープＡをロール巻きにして製造した場合に、固着テープ１と止着テープ２とが重なり合っても、固着テープ１の固着層３が止着テープ２の外面に、強力に粘着しないようにして、剥がし易くするためである。
【００２５】
そして、この発明の廃棄用テープＡは、図２に示したように、前記止着テープ２内面の他端寄りに、着色層８を形成したものとしている。この着色層８は、体液吸収物品Ｗを丸めて廃棄するときに、止着テープ２を伸ばす場合、その止着テープ２の他端寄りを摘み易くするための目印となるものであり、着色印刷したり、着色フィルムを貼り付けることにより形成している。
【００２６】
さらに、この発明の廃棄用テープＡは、図３に示したように、前記止着層５を幅方向において平行した多数の筋状に形成したものとしている。このようにすることにより、止着層５の粘着剤の使用量を減らして、コストを下げることができるものとなる。なお、この発明の廃棄用テープＡも、図２に示したものと同様、前記止着テープ２内面の他端寄りに、着色層８を形成したものとしている。
【００２７】
また、この発明の廃棄用テープＡは、図４に示したように、前記固着層３および止着層５をそれぞれ幅方向において平行した多数の筋状に形成したものとしている。このようにすることにより、固着層３および止着層５のそれぞれの粘着剤の使用量を減らして、コストを下げることができるものとなる。しかも、後に述べるように、廃棄用テープＡをロール巻きにして製造した場合に、そのロール巻き状態から剥がし易くなる。なお、この発明の廃棄用テープＡも、図２に示したものと同様、前記止着テープ２内面の他端寄りに、着色層８を形成したものとしている。
【００２８】
さらに、この発明の廃棄用テープＡは、図５に示したように、前記止着テープ２内面の他端寄りに、微粘着性の着色層９を、前記固着層４及び止着層５と同時に塗工することにより形成したものとしている。この着色層９は、前記着色層８と同様に止着テープ２の他端寄りを摘み易くするための目印となるものであり、さらにその他端寄りを摘んだ場合に、手指を滑りにくくしている。
【００２９】
また、この発明の廃棄用テープＡは、図６に示したように、前記止着テープ２内面の一端及び他端に、微粘着性の着色層１０を、前記固着層４及び止着層５と同時に塗工することにより形成したものとしている。この着色層１０も、前記着色層９と同様に止着テープ２の他端寄りを摘み易くするための目印となるものであり、さらにその他端寄りを摘んだ場合に、手指を滑りにくくしている。さらに、この着色層１０は、廃棄用テープＡを、図７に示したように、ロール巻きにして製造した場合に、そのロールＲの両端ｓに粘着力の強い固着層４及び止着層５が露出しないようにして、廃棄用テープＡの両端をべたつきにくくしている。
【００３０】
なお、この発明の廃棄用テープＡは、図６に示したように、前記固着層３の一端及び他端に、微粘着性の着色層１１を形成したものとしている。この着色層１１も、前記着色層１０と同様に廃棄用テープＡを、図７に示したように、ロール巻きにして製造した場合に、その両端に粘着力の強い固着層３が露出しないようにして、廃棄用テープＡの両端をべたつきにくくしている。
【００３１】
以上に述べたように構成されたこの発明の廃棄用テープＡは、使用済みの紙おむつや生理用ナプキン等の体液吸収物品を丸めて廃棄する場合には、次のようにして使用することができる。
【００３２】
すなわち、この発明の廃棄用テープＡは、図８に示したように、使用済みの体液吸収物品Ｗを丸めて、着色層８〜１０を摘んで止着層５を剥がし、この着色層８〜１０を引っ張ると、図９に示したように、止着テープ２が変形して伸長する。
【００３３】
そこで、前記止着テープ２を、丸めた使用済みの体液吸収物品Ｗの廻りを一周させ、その止着テープ２の止着層５を、体液吸収物品Ｗの外面および止着テープ２の外面に止着させると、図１０に示したように、体液吸収物品Ｗが丸められた状態に保持されることとなり、その後の廃棄処理が簡単となる。
【００３４】
この発明の廃棄用テープＡは、以上に述べたように構成されているので、従来の廃棄用テープのように、同じ粘着剤の塗布量を変えて、固着層４と止着層５のそれぞれの粘着強度に適したものにする必要がなくなる。したがって、この発明の廃棄用テープＡは、固着層４と止着層５のそれぞれに適した粘着剤を選択すればよいので、粘着剤の種類を選択するのが容易となり、それら粘着剤の塗布量の均衡をとる必要もなくなる。
【００３５】
さらに、この発明の廃棄用テープＡは、固着層４と止着層５のそれぞれに適した粘着剤を同時に塗工することにより、これら固着層４と止着層５を形成している。したがって、この発明の廃棄用テープＡは、固着層４と止着層５の塗工に手間がかからず、生産コストを下げることができる。
【符号の説明】
【００３６】
１  固着テープ
１ａ  接触面
２  止着テープ
３  固着層
４  固着層
５  止着層
６  離型処理
７  離型処理
８  着色層
９  着色層
１０  着色層
１１  着色層
Ｗ  体液吸収物品
【図１】
2013244127.tif 000003
【図２】
2013244127.tif 000004
【図３】
2013244127.tif 000005
【図４】
2013244127.tif 000006
【図５】
2013244127.tif 000007
【図６】
2013244127.tif 000008
【図７】
2013244127.tif 000009
【図８】
2013244127.tif 000010
【図９】
2013244127.tif 000011
【図１０】
2013244127.tif 000012
【図１１】
2013244127.tif 000013
【図１２】
2013244127.tif 000014
【図１３】
2013244127.tif 000015